(57)【要約】【課題】誤りが含まれたトラヒックによる通信帯域の圧迫を低減する。【解決手段】ＲＲＨ３は、端末５から受信した無線信号をＢＢＵ４宛ての光伝送フレームへ変換し、Ｌ２ＳＷ２−１へ送信する。ＢＢＵ４までの経路上のＬ２ＳＷ２−１〜２−３は、端末５について予約していた帯域を用いて、ＲＲＨ３から送信された光伝送フレームを転送する。ＲＲＨ３は、無線信号の受信品質が規定値以下であると判断した場合、端末５から受信した無線信号については、光伝送フレームへの変換及び光伝送フレームの伝送を中止する。ＲＲＨ３は、ＢＢＵ４までの経路上のＬ２ＳＷ２−１〜２−３に対して、端末５について予約していた帯域の解除を指示する解除通知を送信する。解除通知を受信したＬ２ＳＷ２−１〜２−３は、端末５からの信号について予約していたデータ通過開始及び完了時刻を解除し、ＩｏＴ機器７からのセンサーデータなどに帯域を割り当てる。【選択図】図１
2019009557.tif 000002
【特許請求の範囲】
【請求項１】
転送装置を接続して構成されるネットワークと、前記ネットワークに接続される複数の通信装置とを有し、前記ネットワークにより前記通信装置が送受信する信号を転送するネットワークシステムであって、
複数の前記通信装置のいずれかである第一通信装置は、
端末からの受信信号を前記ネットワークにおいて伝送可能な信号形式に変換し、他の前記通信装置である第二通信装置を宛先として前記転送装置へ出力する信号処理部と、
前記受信信号の品質を判定する品質判定部と、
前記品質判定部により判定された品質が規定以下である場合に当該第一通信装置から前記第二通信装置への信号の転送経路に含まれる前記転送装置に帯域の解除を指示するための解除通知を送信する通知部と、
を備え、
前記転送装置は、
受信した信号を当該信号の宛先に応じた出力先に転送する転送部と、
前記端末からの受信信号を転送するトラヒックに対して予約された帯域を用いて、前記第一通信装置が前記第二通信装置を宛先として出力した前記受信信号を転送するよう前記転送部を制御し、前記解除通知を受信した場合には予約された前記帯域を他のトラヒックに割当てる転送制御部と、
を備える、
ネットワークシステム。
【請求項２】
前記第一通信装置は、
前記品質判定部により判定された品質が規定以下である場合に、前記端末からの受信信号を前記転送装置へ送信する処理を中止するよう前記信号処理部を制御する送信制御部をさらに備える、
請求項１に記載のネットワークシステム。
【請求項３】
前記信号処理部は、無線により前記受信信号を受信する、
請求項１又は請求項２に記載のネットワークシステム。
【発明の詳細な説明】
【技術分野】
【０００１】
本発明は、ネットワークシステムに関する。
【背景技術】
【０００２】
スマートフォンの普及に伴い増大するモバイルトラヒックを効率的にコアネットワークに収容するため、無線基地局を高密度に配置して小セル化し、周波数利用効率を改善して無線システムの全体容量を増大する検討が進められている。基地局数の増大に対し、アンテナやＲＦ（Radio Frequency：無線周波数）部など無線基地局の一部の機能から構成される遠隔基地局（ＲＲＨ：Remote radio head）をセルに配置し、光ファイバなどの伝送路で集約基地局（ＢＢＵ：Baseband unit）と接続するＣ−ＲＡＮ（Centralized radio access network）と呼ばれる構成が検討されている（例えば、非特許文献１参照）。
【０００３】
図４は、従来のＣ−ＲＡＮ構成を示す図である。ＢＢＵとＲＲＨは光ファイバ伝送路などによりポイント・ツー・ポイントで接続される。この光伝送路はモバイルフロントホールと呼ばれており、無線信号はＣＰＲＩ（Common Public Radio Interface）により光信号に変換されて伝送される。
【０００４】
図５は、モバイルフロントホールをレイヤ２ネットワーク化したＣ−ＲＡＮ構成を示す図である。同図で示されるように、モバイルフロントホールをレイヤ２ネットワーク化し、複数のＢＢＨならびにＲＲＨで共用する検討が、IEEE802.1CMで進められている（例えば、非特許文献２参照）。
【０００５】
一方で、モバイルシステムの普及に加え、ＩｏＴ（Internet of things）の一部として代表されるセンサネットワークが普及している。この普及により、ＩｏＴ端末が様々な無線規格でネットワークに接続され、コアネットワークに設置されたサーバにセンサーデータなどが収集される。さらには、遅延要求が厳しいモバイルトラヒックとセンサーデータなどの遅延許容トラヒックを同一のレイヤ２ネットワークに収容するマルチサービス収容アクセスネットワークの検討なども報告されている（例えば、非特許文献３参照）。
【先行技術文献】
【非特許文献】
【０００６】
【非特許文献１】"ドコモ5Gホワイトペーパー"，［online］，2014年9月，株式会社ＮＴＴドコモ，［平成29年6月12日検索］，インターネット〈URL：https://www.nttdocomo.co.jp/corporate/technology/whitepaper_5g〉
【非特許文献２】"802.1CM, Draft 0.6"，［online］，2017年2月，IEEE，［平成29年6月12日検索］，インターネット〈URL：http://www.ieee802.org/1/pages/802.1cm.html〉
【非特許文献３】久保  尊広，外６名，"マルチサービスを収容したL2ネットワークにおける遅延の評価"，2016電子情報通信学会ソサイエティ大会講演論文集，B-8-25，2016年
【発明の概要】
【発明が解決しようとする課題】
【０００７】
様々なサービスを同一のレイヤ２ネットワークに収容した場合、低遅延性が要求されるモバイルトラヒックの保護や低優先トラヒックの効率的な収容が課題となる。そこで、従来技術では、レイヤ２スイッチを利用してモバイルトラヒックの低遅延を図る方法が提案されているが、モバイルトラヒックに誤りが含まれている場合には、無駄なトラヒックが発生してしまう。この無駄なトラヒックは、レイヤ２ネットワークにおけるモバイルサービス以外の他のサービスのトラヒックが利用する帯域を圧迫し、遅延を生じさせてしまうこともある。
【０００８】
上記事情に鑑み、本発明は、誤りが含まれたトラヒックによる通信帯域の圧迫を低減することができるネットワークシステムを提供することを目的としている。
【課題を解決するための手段】
【０００９】
本発明の一態様は、転送装置を接続して構成されるネットワークと、前記ネットワークに接続される複数の通信装置とを有し、前記ネットワークにより前記通信装置が送受信する信号を転送するネットワークシステムであって、複数の前記通信装置のいずれかである第一通信装置は、端末からの受信信号を前記ネットワークにおいて伝送可能な信号形式に変換し、他の前記通信装置である第二通信装置を宛先として前記転送装置へ出力する信号処理部と、前記受信信号の品質を判定する品質判定部と、前記品質判定部により判定された品質が規定以下である場合に当該第一通信装置から前記第二通信装置への信号の転送経路に含まれる前記転送装置に帯域の解除を指示するための解除通知を送信する通知部と、を備え、前記転送装置は、受信した信号を当該信号の宛先に応じた出力先に転送する転送部と、前記端末からの受信信号を転送するトラヒックに対して予約された帯域を用いて、前記第一通信装置が前記第二通信装置を宛先として出力した前記受信信号を転送するよう前記転送部を制御し、前記解除通知を受信した場合には予約された前記帯域を他のトラヒックに割当てる転送制御部と、を備える。
【００１０】
また、本発明の一態様は、上述のネットワークシステムであって、前記第一通信装置は、前記品質判定部により判定された品質が規定以下である場合に、前記端末からの受信信号を前記転送装置へ送信する処理を中止するよう前記信号処理部を制御する送信制御部をさらに備える。
【００１１】
また、本発明の一態様は、上述のネットワークシステムであって、前記信号処理部は、無線により前記受信信号を受信する。
【発明の効果】
【００１２】
本発明により、ネットワークシステムにおいて、誤りが含まれたトラヒックによる通信帯域の圧迫を低減することが可能となる。
【図面の簡単な説明】
【００１３】
【図１】本発明の第１の実施形態によるネットワークシステムの構成を示す図である。
【図２】同実施形態によるＲＲＨの構成を示すブロック図である。
【図３】第２の実施形態によるネットワークシステムの構成を示す図である。
【図４】従来技術によるＣ−ＲＡＮ構成を示す図である。
【図５】従来技術によるモバイルフロントホールをレイヤ２ネットワーク化したＣ−ＲＡＮ構成を示す図である。
【発明を実施するための形態】
【００１４】
以下、図面を参照して本発明の実施形態を説明する。以下では、宛先に応じて信号を転送する転送装置がレイヤ２スイッチである場合を例に説明するが、レイヤ３スイッチなどであってもよい。
【００１５】
＜第１の実施形態＞
図１は、本発明の第１の実施形態によるネットワークシステム１の構成を示す図である。ネットワークシステム１は、例えば、マルチサービス収容アクセスネットワークである。同図に示すネットワークシステム１は、Ｌ２ＳＷ（レイヤ２スイッチ）２により構成されるレイヤ２ネットワーク２０と、Ｃ−ＲＡＮ構成の基地局を構成するＲＲＨ（Remote radio head：遠隔基地局）３及びＢＢＵ（Baseband unit：集約基地局）４と、アクセスポイント（ＡＰ）６と、ネットワーク制御装置８とを備える。同図では、レイヤ２ネットワーク２０は、光伝送路により接続される５台のＬ２ＳＷ２により構成されている。以下では、５台のＬ２ＳＷ２をそれぞれ、Ｌ２ＳＷ２−１〜Ｌ２ＳＷ２−５と記載する。
【００１６】
Ｌ２ＳＷ２は、転送部２１及び帯域制御部２２を備える。転送部２１は、受信した信号を、その信号の宛先に応じた出力先に転送する。帯域制御部２２は、転送部２１に対してキューイング制御などを行うことにより、予約された帯域に応じた信号の転送を制御する。また、帯域制御部２２は、帯域の再割り当てを行う。
【００１７】
ＲＲＨ３及びＢＢＵ４は、レイヤ２ネットワーク２０をモバイルフロントホールとして用いる。同図では、ＲＲＨ３はＬ２ＳＷ２−１に、ＢＢＵ４はＬ２ＳＷ２−３に接続されている。同図では、ＲＲＨ３を１台のみ示しているが、複数台を備え得る。ＲＲＨ３は、通信セル内の１台以上の端末５と無線通信する。
【００１８】
ＡＰ６は、Ｌ２ＳＷ２−２と接続される。ＡＰ６は、ＩｏＴ機器７から無線によりデータを収集し、レイヤ２ネットワーク２０を介して接続される図示しないデータ収集サーバに転送する。同図では、ＡＰ６及びＩｏＴ機器７を１台ずつ示しているが、それぞれ複数台を備え得る。同図は、Ｌ２ＳＷ２にＡＰ６が接続される場合を示しているが、ＩｏＴ機器７から受信したデータをネットワーク上のサーバに収集するためのＦＴＴＨ（Fiber to the home）のホームＧＷ（ゲートウェイ）などが接続されてもよい。
【００１９】
このように、ネットワークシステム１では、モバイルサービスのトラヒックであるモバイルトラヒックと、ＩｏＴサービスのトラヒックであるＩｏＴトラヒックが、レイヤ２ネットワーク２０により構成されたモバイルフロントホールを共有している。モバイルトラヒックは低遅延が求められ、転送の優先度が高い。一方、ＩｏＴトラヒックは遅延が許容され、転送の優先度は低い。
【００２０】
ネットワーク制御装置８は、レイヤ２ネットワーク２０を介してＬ２ＳＷ２及びＢＢＵ４と通信する。同図では、ネットワーク制御装置８は、通信ネットワーク９を介して、レイヤ２ネットワーク２０を構成するＬ２ＳＷ２−３と接続されている。ネットワーク制御装置８は、経路算出部８１及びリソース管理部８２を備える。経路算出部８１は、ＲＲＨ３とＢＢＵ４の間のトラヒックが転送される経路を算出する。リソース管理部８２は、経路算出部８１が算出した経路と端末５が要求する通信データ量とに基づいて、端末５に対して、ＲＲＨ３の無線リソースや、信号転送のためのＬ２ＳＷ２の帯域などのリソースの割当てを行う。
【００２１】
図２は、ＲＲＨ３の構成を示すブロック図である。同図に示すように、ＲＲＨ３は、無線通信部３１と、信号変換部３２と、ネットワーク通信部３３と、リソース制御部３５と、品質判定部３４と、通知部３６とを備える。
【００２２】
無線通信部３１は、無線信号の送信処理及び受信処理を行う。信号変換部３２は、無線通信部３１において送受信する信号と、ネットワーク通信部３３において送受信する信号との変換を行う。ネットワーク通信部３３は、Ｌ２ＳＷ２との間の信号の送信処理及び受信処理を行う。
【００２３】
品質判定部３４は、無線通信部３１が端末５から受信した無線信号の受信品質を判別する。リソース制御部３５は、品質判定部３４において判定された受信品質が規定値以下の端末５については、受信した無線信号を光伝送フレームに変換しないよう信号変換部３２を制御し、さらに、その端末５からの受信信号をＢＢＵ４宛てに伝送しないようネットワーク通信部３３を制御する。これにより、リソース制御部３５は、レイヤ２ネットワーク２０へ送信する信号の帯域制御を行う。通知部３６は、受信品質が規定値以下の端末５について予約していた帯域の解除を、ＢＢＵ４までの経路上のＬ２ＳＷ２に対して指示する。
【００２４】
ネットワークシステム１の動作例を説明する。
ネットワーク制御装置８の経路算出部８１は、レイヤ２ネットワーク２０におけるＲＲＨ３及びＢＢＵ４間の信号の経路を、任意の経路探索方法により算出する。例えば、図１に示すネットワークシステム１の場合、ＲＲＨ３からＢＢＵ４への信号の経路は、ＲＲＨ３、Ｌ２ＳＷ２−１、Ｌ２ＳＷ２−２、Ｌ２ＳＷ２−３、ＢＢＵ４である。
【００２５】
一方、ＲＲＨ３は端末５から上り通信の要求データ量を受信してＢＢＵ４に通知し、ＢＢＵ４は、端末５の上り通信の要求データ量と、端末５を収容しているＲＲＨ３の情報をネットワーク制御装置８に通知する。リソース管理部８２は、端末５の要求データ量、経路算出部８１が選択した経路、及び、その経路上のノード（Ｌ２ＳＷ２、ＲＲＨ３、ＢＢＵ４など）における遅延時間等に基づいて、端末５の無線伝送帯域及び送信時間と、その端末５がその送信時間に送信したデータ信号が経路上の各Ｌ２ＳＷ２を通過する時間を算出する。
【００２６】
リソース管理部８２は、経路の情報と、端末５の無線伝送帯域及び送信時間とを、ＢＢＵ４に通知する。ＢＢＵ４は、端末５の無線伝送帯域及び送信時間を、端末５宛ての制御信号に設定してＲＲＨ３に送信し、経路の情報をＲＲＨ３宛ての制御信号に設定して送信する。さらに、リソース管理部８２は、各Ｌ２ＳＷ２に、端末５を特定する情報と、端末５からのデータ信号が設定される信号の識別情報と、当該Ｌ２ＳＷ２におけるその信号の通過時間とを通知する。信号の識別情報は、その信号に設定されているデータ信号の送信元が端末５であることを識別する情報でもよく、端末５を収容しているＲＲＨ３からＢＢＵ４宛ての信号であることを識別する情報であってもよい。ＲＲＨ３からＢＢＵ４宛ての信号であることを識別する情報は、例えば、ＶＬＡＮ（Virtual Local Area Network)  ＩＤや、送信元及び宛先のアドレスなどを用いることができる。
【００２７】
ＲＲＨ３のネットワーク通信部３３は、端末５宛ての制御信号を信号変換部３２に出力する。端末５宛ての制御信号は、信号変換部３２により信号形式が変換され、無線通信部３１により無線信号としてアンテナから送信される。また、ネットワーク通信部３３は、ＲＲＨ３宛ての制御信号を通知部３６に出力する。通知部３６は、制御信号により受信した経路の情報を記憶する。一方、Ｌ２ＳＷ２の帯域制御部２２は、ネットワーク制御装置８から通知された通過時間に基づいて、端末５からのデータ信号を転送するトラヒックの帯域を予約する。
【００２８】
端末５は、制御信号により受信した無線伝送帯域及び送信時間に従って、上りのデータ信号を無線送信する。ＲＲＨ３の無線通信部３１は、端末５から受信した無線信号の周波数変換、波形整形やＡ／Ｄ（アナログデジタル）変換、復調、復号などの受信処理を行う。信号変換部３２は、無線通信部３１が受信処理した端末５からの受信信号を、ＢＢＵ４宛ての光伝送フレームへ変換する。ネットワーク通信部３３は、信号変換部３２において変換されたＢＢＵ４宛ての光伝送フレームをＬ２ＳＷ２へ送信する。
【００２９】
ＲＲＨ３からＢＢＵ４までの経路上のＬ２ＳＷ２（例えば、Ｌ２ＳＷ２−１〜２−３）の転送部２１は、帯域制御部２２による制御により、端末５からのデータ信号を転送するトラヒックについて予約していた帯域を用いて、ＲＲＨ３からＢＢＵ４宛てに送信された光伝送フレームを転送する。Ｌ２ＳＷ２の転送部２１は、モバイルトラヒック、すなわち、端末５からのデータ信号が設定された、ＲＲＨ３からＢＢＵ４宛ての光伝送フレームの転送のために予約帯域が使用されている間は、ＩｏＴトラヒック、すなわち、ＡＰ６がＩｏＴ機器７から受信したセンサーデータを設定した低優先度の光伝送フレームをキューイングしておく。転送部２１は、モバイルトラヒックのために予約された帯域を除いた残りの帯域を利用して、キューイングしていたＩｏＴトラヒックの信号を転送する。
【００３０】
ＲＲＨ３の品質判定部３４は、無線通信部３１が端末５から受信した無線信号の受信品質を判別する。信号品質として、例えば、ＲＳＳＩ（Received Signal Strength Indicator：受信強度）、ＳＮＲ（Signal to Noise ratio：信号対雑音比）、ＳＩＮＲ（Signal to Interference and Noise Ratio：信号対干渉雑音比）などを用いることができる。
【００３１】
リソース制御部３５は、品質判定部３４において判定された無線信号の受信品質が規定値以下である場合、その無線信号の送信元の端末５を特定する。リソース制御部３５は、特定した端末５から受信した無線信号については光伝送フレームに変換しないよう信号変換部３２を制御し、さらに、特定した端末５から受信した無線信号が設定された光伝送フレームをＢＢＵ４宛てに伝送しないようネットワーク通信部３３を制御する。
【００３２】
通知部３６は、ネットワーク制御装置８が決定したＲＲＨ３からＢＢＵ４までの経路上の各Ｌ２ＳＷ２（例えば、Ｌ２ＳＷ２−１〜２−３）に対して、リソース制御部３５が特定した端末５について予約していた帯域の解除を指示する解除通知を送信する。解除通知には、帯域を解除する対象の端末５を特定する情報が設定される。Ｌ２ＳＷ２の帯域制御部２２は、ＲＲＨ３から受信した解除通知に設定された識別情報により端末５を特定し、特定された端末５のデータ信号の転送のために予約していたデータ通過開始及び完了時刻を解除する。帯域制御部２２は、この解除により割当て解除された帯域を、ＡＰ６を経由して伝送されるＩｏＴ機器７のセンサーデータなどに再割り当てする。これにより、ＩｏＴ機器７から送信されるデータに過度な遅延を与えず、効率的に伝送できる。
【００３３】
レイヤ２ネットワークおいて、モバイルトラヒックはＩｏＴトラヒックよりも優先され、予め予約された帯域などを利用して低遅延で伝送される。そのため、端末５からの無線信号の伝送品質が低下し、レイヤ２ネットワークにおいて誤りが含まれるモバイルトラヒックが増加してしまうと、ＩｏＴトラヒックの伝送に利用可能な帯域を圧迫してしまう。本実施形態では、上記のように、ＲＲＨ３においてモバイルトラヒックの伝送品質を判別し、劣化が生じている場合には、Ｌ２ＳＷ２においてモバイルトラヒックに対する帯域予約を解除し、予約を解除した帯域を他のトラヒックに割当てて伝送する。これにより、誤りが含まれるトラヒックによる帯域の圧迫を低減し、他のトラヒックが利用できる帯域を増加させ、ネットワークの効率化を図ることができる。よって、複数のサービスを収容するネットワークシステムの低遅延化及び効率的なトラヒック収容が可能となる。
【００３４】
＜第２の実施形態＞
図３は、本発明の第２の実施形態によるネットワークシステム１ａの構成を示す図である。同図において、図１に示す第１の実施形態によるネットワークシステム１と同一の部分には同一の符号を付し、その説明を省略する。同図に示すネットワークシステム１ａが、第１の実施形態のネットワークシステムと異なる点は、Ｎ組（Ｎは２以上の整数）のＲＲＨ３及びＢＢＵ４の組が、レイヤ２ネットワーク２０で構成される同一のモバイルフロントホールを共用して接続される点である。同図では、Ｎ＝２の場合を例に示している。その他の構成は、第１の実施形態と同じである。ｎ番目の組（ｎは１以上Ｎ以下の整数）のＲＲＨ３、ＢＢＵ４をそれぞれＲＲＨ３−ｎ、ＢＢＵ４−ｎと記載し、ＲＲＨ３−ｎが無線通信する端末５を、端末５−ｎと記載する。ＢＢＵ４−ｎは、１台以上のＲＲＨ３−ｎと接続され、ＲＲＨ３−ｎは１台以上の端末５−ｎと無線通信する。
【００３５】
ネットワークシステム１ａは、ＲＲＨ３−ｎ及びＢＢＵ４−ｎの組ごとに、第１の実施形態と同様の処理を行う。これにより、第２の実施形態においても、第１の実施形態と同様の仕組みにより、Ｌ２ＳＷ２においてモバイルトラヒックに対する予約を解除し、他のトラヒックを伝送することでネットワークの効率化を図ることを可能とする。
【００３６】
具体的には、ネットワーク制御装置８の経路算出部８１は、ｉ＝１〜Ｎのそれぞれにつて、レイヤ２ネットワーク２０におけるＲＲＨ３−ｉ及びＢＢＵ４−ｉ間の信号の経路を選択する。リソース管理部８２は、ＲＲＨ３−ｉ及びＢＢＵ４−ｉ間の経路の情報と、端末５−ｉの無線伝送帯域及び送信時間とをＢＢＵ４−ｉに通知し、各Ｌ２ＳＷ２に、端末５−１〜５−Ｎのそれぞれについて、端末５を特定する情報と、端末５からのデータ信号が設定される信号の識別情報と、当該Ｌ２ＳＷ２におけるその信号の通過時間とを通知する。ＲＲＨ３−ｉは、ＢＢＵ４−ｉから端末５−ｉの無線伝送帯域及び送信時間が設定された制御信号を受信し、端末５−ｉに無線送信する。さらに、ＲＲＨ３−ｉは、ＢＢＵ４−ｉから経路の情報を受信し、記憶する。
【００３７】
ＲＲＨ３−ｉは、端末５−ｉから受信した無線信号をＢＢＵ４−ｉ宛ての光伝送フレームへ変換し、Ｌ２ＳＷ２へ送信する。Ｌ２ＳＷ２は、端末５−ｉからのデータ信号を転送するトラヒックについて予約していた帯域を用いて、ＲＲＨ３−ｉから送信された光伝送フレームを転送する。ＲＲＨ３−ｉは、端末５−ｉからの無線信号の受信品質が規定値以下であると判断した場合、端末５−ｉから受信した無線信号については、光伝送フレームへの変換及び光伝送フレームの伝送を中止する。ＲＲＨ３−ｉは、ＲＲＨ３−ｉからＢＢＵ４−ｉまでの経路上の各Ｌ２ＳＷ２に対して、端末５−ｉについて予約していた帯域の解除を指示する解除通知を送信する。Ｌ２ＳＷ２は、ＲＲＨ３−ｉから受信した解除通知に基づいて、端末５−ｉからのデータ信号を転送するトラヒックについて予約していたデータ通過開始及び完了時刻を解除し、ＩｏＴ機器７からのセンサーデータを転送するトラヒックに解除した帯域を再割り当てする。
【００３８】
なお、上記においては、モバイルトラヒックとＩｏＴトラヒックがレイヤ２ネットワークを流れる場合を例に説明したが、任意のサービスのトラヒックとしてもよい。また、上記においては、Ｌ２ＳＷと接続される通信装置が、端末と無線通信するＲＲＨである場合を例に説明したが、端末と有線通信を行う通信装置であってもよい。また、上記においてはネットワーク制御装置が、端末が要求するデータ量などに基づいて必要帯域を算出してＬ２ＳＷに割当ているが、各トラヒックに割当てるＬ２ＳＷの帯域は任意に算出してもよく、例えば、予めスケジュールされた帯域を割当ててもよい。
【００３９】
以上説明した実施形態によれば、ネットワークシステムは、転送装置を接続して構成されるネットワークと、当該ネットワークに接続される複数の通信装置とを有し、当該ネットワークにより通信装置が送受信する信号を転送する。例えば、ネットワークシステムはネットワークシステム１、１ａであり、転送装置はＬ２ＳＷ２であり、複数の通信装置はＲＲＨ３、ＢＢＵ４、ＡＰ６である。
【００４０】
複数の通信装置のいずれかである第一通信装置は、信号処理部と、品質判定部と、通知部とを有する。例えば、第一通信装置はＲＲＨ３であり、信号処理部は無線通信部３１、信号変換部３２及びネットワーク通信部３３である。信号処理部は、端末からの受信信号をネットワークにおいて伝送可能な信号形式に変換し、他の通信装置である第二通信装置を宛先として転送装置へ出力する。例えば、端末は端末５であり、第二通信装置はＢＢＵ４である。品質判定部は、受信信号の品質を判定する。通知部は、品質判定部により判定された品質が規定以下である場合に当該第一通信装置から第二通信装置への信号の転送経路に含まれる転送装置に帯域の解除を指示するための解除通知を送信する。
【００４１】
転送装置は、転送部と、転送制御部とを備える。転送部は、受信した信号を当該信号の宛先に応じた出力先に転送する。転送制御部は、端末からの受信信号を転送するトラヒックに対して予約された帯域を用いて、第一通信装置が第二通信装置を宛先として出力した端末からの受信信号を転送するよう転送部を制御する。転送制御部は、第一通信装置から解除通知を受信した場合には、予約された帯域を他のトラヒックに割当てる。これにより、帯域を予約した優先トラヒックに誤りが含まれることによる非優先トラヒックの通信帯域の圧迫を低減することができる。
【００４２】
なお、第一通信装置は、品質判定部により判定された品質が規定以下である場合に、端末からの受信信号を転送装置へ送信する処理を中止するよう信号処理部を制御する送信制御部をさらに備えてもよい。例えば、送信制御部は、リソース制御部３５である。これにより、第一通信装置と接続される転送装置において、予約帯域が開放されたトラヒックを受信することによる処理の負荷を低減することができる。
【００４３】
また、第一通信装置の信号処理部は、無線により受信信号を受信してもよい。無線通信の場合、端末の移動により受信品質の変化が起こりやすいが、本実施形態によれば、受信品質が低下した場合、転送装置において速やかに帯域再割当を行い、他トラヒックの伝送帯域を増加させることができる。
【００４４】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００４５】
複数サービスを収容するネットワークに利用可能である。
【符号の説明】
【００４６】
１、１ａ…ネットワークシステム
２−１〜２−５…レイヤ２スイッチ
３、３−１、３−２…ＲＲＨ
４、４−１、４−２…ＢＢＵ
５、５−１、５−２…端末
６…アクセスポイント
７…ＩｏＴ機器
８…ネットワーク制御装置
９…通信ネットワーク
２０…レイヤ２ネットワーク
２１…転送部
２２…帯域制御部
３１…無線通信部
３２…信号変換部
３３…ネットワーク通信部
３４…品質判定部
３５…リソース制御部
３６…通知部
８１…経路算出部
８２…リソース管理部
【図１】
2019009557.tif 000003
【図２】
2019009557.tif 000004
【図３】
2019009557.tif 000005
【図４】
2019009557.tif 000006
【図５】
2019009557.tif 000007